(57)【特許請求の範囲】
【請求項１】
少なくとも前後一対の針床を有する横編機を用いて、編地側端部を補強する編成方法において、
編地側端部の編目を、編地の裏側でひねり目を設けてから形成し、続いてひねり目とそれに対峙する表側の編目に続く新たな編目を袋編みで形成した後、袋編みで形成した表側と裏側の編目を重ねることを特徴とする編地側端部の編成方法。
【請求項２】
左右に分岐する編地の分岐部両側に前記編地側端部を形成するとともに、分岐部を挟んで位置する少なくとも左右一対の編目同士を、互いに交差させることで分岐部に交差部を形成することを特徴とする請求項１記載の編地側端部の編成方法。
【請求項３】
横編機を用いて編成され、補強された編地側端部を有する編地であって、
編地側端部の編目を形成する前に、編地の裏側にひねり目が形成され、該ひねり目と該ひねり目に対峙する表側の編目に続く新たな編目が袋編みで形成され、袋編みで形成された表側と裏側の編目が重ねられていることを特徴とする補強された編地側端部を有する編地。
【発明の詳細な説明】
【技術分野】
【０００１】
本発明は、横編機を用いて編まれる厚手の伸縮性の少ないしっかりした編地側端部の編成方法に関する。
【背景技術】
【０００２】
横編機を用いてセーターや衣類製品の襟、前立等に利用される編地側端部を補強する編成方法に関して、本願出願人は、平編みとトランスファーニットとを組合わせる厚手の伸縮性の少ないしっかりした編地の編成方法を開示している（たとえば、特許文献１参照）。
【先行技術文献】
【特許文献】
【０００３】
【特許文献１】特公平７−３７６９９号公報
【発明の概要】
【発明が解決しようとする課題】
【０００４】
本発明は、上記特許文献１とは異なる方法を用いて、編地側端部を補強する編成方法とその編地を提供することを目的とする。
【課題を解決するための手段】
【０００５】
本発明は、少なくとも前後一対の針床を有する横編機を用いて、編地側端部を補強する編成方法において、
編地側端部の編目を、編地の裏側でひねり目を設けてから形成し、続いてひねり目とそれに対峙する表側の編目に続く新たな編目を袋編みで形成した後、袋編みで形成した表側と裏側の編目を重ねることを特徴とする編地側端部の編成方法である。
【０００６】
また本発明は、左右に分岐する編地の分岐部両側に前記編地側端部を形成するとともに、分岐部を挟んで位置する少なくとも左右一対の編目同士を、互いに交差させることで分岐部に交差部を形成することを特徴とする。
【０００７】
また本発明は、横編機を用いて編成され、補強された編地側端部を有する編地であって、
編地側端部の編目を形成する前に、編地の裏側にひねり目が形成され、該ひねり目と該ひねり目に対峙する表側の編目に続く新たな編目が袋編みで形成され、袋編みで形成された表側と裏側の編目が重ねられていることを特徴とする補強された編地側端部を有する編地である。
【発明の効果】
【０００８】
本発明では、編地側端部の編目は、編地の裏側でひねり目を設けてから形成し、ひねり目とそれに対峙する表側の編目に続く新たな編目を袋編みで形成し、袋編みで形成された表側と裏側の編目を重ねる。このため、編地側端部の厚みを増して強化することができる。また、編地側端部がしっかりするので側端部が延びるラインを綺麗に仕上げることができる。なお本発明において、編目にはニット目以外にタック目や重ね目も含めるものとする。
【０００９】
また、左右に分岐する編地の分岐部両側に前記編地側端部を形成するとともに、分岐部を挟んで位置する少なくとも左右一対の編目同士を、互いに交差させることで分岐部に交差部を形成する。袋編みすることで、編糸にゆとりができ、交差に用いる編目が突っ張ることなく目移しが容易になり、交差部および分岐部直近の編地も突っ張ることなく、綺麗に仕上げることができる。
【００１０】
また、本発明による編地は、側端部の厚みが増してしっかりするので、セーターのＶネック部やベストのアームホールなどが綺麗なラインで形成される。
【図面の簡単な説明】
【００１１】
【図１】本発明の実施例であるＶネックのベストの前身頃１を示す図である。
【図２】本発明の実施例である前身頃1の分岐部２の編成図である。
【図３】本発明の実施例である前身頃1の分岐部２の編成図である。
【図４】本発明の実施例である前身頃1の分岐部２の交差部および分岐部２に続く部分の編成図である。
【図５】本発明の実施例である前身頃1の分岐部２に続く部分の編成図である。
【図６】本発明の実施例である前身頃1の分岐部２に続く部分の編成図である。
【図７】本発明の実施例である前身頃1の分岐部２に続く部分の編成図である。
【発明を実施するための形態】
【００１２】
以下、本発明の実施例として、ベストのＶネック部の編成について説明する。以下の説明で編成に使用する横編機は、前後一対の針床を備えた２枚ベッド横編機であり、後針床が前針床に対してラッキング可能で、針床の上方に複数の給糸口を有するものである。編成図において、説明の便宜のため、針数を実際の編成より少なくしている。
【実施例】
【００１３】
図１は、Ｖネックのベストの前身頃１を示す図である。本実施例で編成されるベストの前身頃１はすべて天竺で編成される。図で示すように矢印Ｗの方向に向かって分岐部２まで編成される全幅部４と、分岐部２から左右に分岐して編成される右肩部６と左肩部７とから成る。符号８は開口、符号９は側端部である。全幅部４および右肩部６は給糸口１０を使用して編成し、左肩部７は給糸口１１を使用して編成する。破線Ｘ−Ｘは分岐部２における境界を示す。
【００１４】
図２と図３は、図１で示す前身頃１の分岐部２の編成図である。図４は、最初の３工程で分岐部２の交差部の編成を示し、以降で分岐部２に続く右肩部６と左肩部７の編成工程を示す編成図であり、図５〜図７は図４に続く編成図である。各編成図において、図中左側の数字は編成ステップ（Ｓ）を示し、左右方向の矢印は編成方向を、上下方向の矢印は目移し方向を示し、ＦＢは前針床を、ＢＢは後針床を示す。大文字のＡ〜ＴはＦＢの編針を、小文字のａ〜ｔはＢＢの編針を示す。また、丸印はその編成ステップで形成される新たな編目または目移しされる編目を、Ｖ印はタックまたは掛け目を、二重丸印は重ね目を示す。尚、その編成ステップでの編成に関係せず、編針に係止されたままの編目については図示を省略している。また、図１と同様にＸ−Ｘ線は分岐部２の境界を示す。また、ＦＢ側を表側、ＢＢ側を裏側と表現する場合もある。
【００１５】
以下、図２〜図４で示す編成ステップＳ１〜Ｓ２８について説明する。Ｓ１は、前身頃１の全幅部４の編成を示し、給糸口１０はキャリッジ（不図示）により左方向に移動され、ＦＢの編針Ｔ〜Ａで編目を形成する。Ｓ２以降は交差部の形成に先立つ編成として、給糸口１０と給糸口１１を使用する。
【００１６】
Ｓ２では、給糸口１１を使用して、左方向に編針Ｔ〜Ｎで編目を形成する。Ｓ３では、右方向に編針ｍで掛け目して、続くＳ４ではＦＢの編針Ｍで編目３１を形成する。この時、ＦＢの編針ＮからＢＢの編針ｍに渡る編糸の上を、編針ｍからＦＢの編針Ｍに渡る編糸が交差することになり、編針ｍにはひねり目２１が形成される。以降、Ｓ５〜Ｓ６、およびＳ７〜Ｓ８においてもＳ３〜Ｓ４と同様の編成を行い、編針Ｌと編針Ｋとに編目３２，３３を、そして編針ｌと編針ｋとにひねり目２２，２３を形成する。Ｓ９では、Ｓ３〜Ｓ８で前身頃１の裏側に形成されたひねり目２３，２２，２１に対して、右方向に新たな編目を形成するとともに、ＦＢの編針Ｎでタックする。Ｓ１０では、左方向にＦＢの編針Ｍ〜Ｋで編目を形成する。Ｓ１１では、右方向にＢＢの編針ｋ〜ｍで編目を形成する。上記Ｓ９〜Ｓ１１において、ひねり目２３，２２，２１に対峙するＦＢの編針Ｋ〜Ｍおよびひねり目２３，２２，２１を係止するＢＢの編針ｋ〜ｍで周回するように袋編みを行なうことで、それらに続く新たな編目を形成し、この部分が袋状につながった編地になる。そして、Ｓ１２では、ＢＢの編針ｋ〜ｍに係止される編目を、ＦＢの編針Ｋ〜Ｍへそれぞれ目移しして重ねるとともに、Ｓ１３では、給糸口１１を左へ一旦移動させた後、編針Ｍの編目に続くようにＦＢの編針Ｎ〜Ｔで編目を形成する。
【００１７】
Ｓ１４〜Ｓ２５は、前述のＳ２〜Ｓ１３の編成をＸ−Ｘ線で対称にしたものである。Ｓ１４では給糸口１０を使用して、右方向に編針Ａ〜Ｇで編目を形成する。Ｓ１５では、左方向に編針ｈで掛け目して、続くＳ１６ではＦＢの編針Ｈで編目を形成する。これにより、ＢＢの編針ｈにひねり目が形成される。以降、Ｓ１７〜Ｓ１８、およびＳ１９〜Ｓ２０においてもＳ１５〜Ｓ１６と同様の編成を行い、編針Ｉと編針Ｊとに編目を、そして編針ｉと編針ｊとにひねり目を形成する。Ｓ２１では、Ｓ１５〜Ｓ２０で前身頃１の裏側に形成されたひねり目に対して、左方向に新たな編目を形成するとともに、ＦＢの編針Ｇでタックする。Ｓ２２では、右方向にＦＢの編針Ｈ〜Ｊで編目を形成する。Ｓ２３では、左方向に編針ｊ〜ｈで編目を形成する。上記Ｓ２１〜Ｓ２３において、ひねり目に対峙するＦＢの編針Ｈ〜Ｊおよびひねり目を係止するＢＢの編針ｈ〜ｊで周回するように袋編みを行うことで、それらに続く新たな編目を形成し、この部分が筒所に繋がった編地になる。そして、Ｓ２４では、ＢＢの編針ｈ〜ｊに係止される編目を、対峙するＦＢの編針Ｈ〜Ｊへそれぞれ目移しして重ねるとともに、Ｓ２５では、給糸口１０を右へ一旦移動させた後、編針Ｈの編目に続くようにＦＢの編針Ｇ〜Ａで編目を形成する。
【００１８】
Ｓ２６〜Ｓ２８は、分岐部２の境界を越えて編目を交差させる工程である。本実施例では、分岐部２を挟んで表側の編目を、ひねり目に続いて形成された裏側の編目に重ね、分岐部２の境界を越えて交差させる。Ｓ２６では、編針Ｊ，編針Ｋの編目を目移しして、それぞれ編針ｊ，編針ｋの編目と重ねる。Ｓ２７では、分岐部２の境界を越えて、編針ｋで係止する重ね目を編針Ｊに目移しする。Ｓ２８では、分岐部２の境界を越えて、編針ｊで係止する重ね目を編針Ｋに目移しする。以上のようにして、分岐部２で編目の交差が完了する。
【００１９】
Ｓ９〜Ｓ１１およびＳ２１〜Ｓ２３で、ひねり目およびそれに対峙する編目に続けて袋編みを行っているため、交差部付近を厚手のしっかりした編地で補強することができる。
【００２０】
本実施例では、Ｓ２６〜Ｓ２８の目移し工程で交差部を形成したが、これに限らず他の方法で重ねと交差を行なってもよい。例えば、分岐部２の境界を挟んで表側の編目同士を先に交差させた後、裏側の編目を分岐部２の境界を越えて表側の編目と重ねるようにして、本件実施例とは異なる前後関係で編目を重ねても良い。この場合には、公知のホールディング技術（例えば、特許第２９９５４６４号公報を参照）を使用すれば良い。また、４枚ベッド機であれば、上部針床を使用すれば良い。何れの場合においても、本実施例で示した目移し方法の方が、工程数が少なくて済む。
【００２１】
次に、図４のＳ２９以降、および図５〜図７で示す分岐部２に続く右肩部６と左肩部７の編成について説明する。前述のように分岐部２で編目の交差を行った後は、右肩部６と左肩部７の各編地をそれぞれ編成しながら、分岐部２の境界に面する各側端部９Ｒ，９Ｌが分岐部２の境界から遠ざかるようにして減らし編成を行う。これにより、Ｖネック部の開口８を形成していく。
【００２２】
Ｓ２９〜Ｓ３６における編成は、形成されるひねり目の数や目移し工程の有無に違いはあるが、基本的に前述のＳ２〜Ｓ１３と同様である。Ｓ２９で、給糸口１１を使用して、左方向に編針Ｔ〜Ｎで編目を形成する。Ｓ３０では、右方向に編針ｍで掛け目して、続くＳ３１ではＦＢの編針Ｍで編目５１を形成する。これにより、ＢＢの編針ｍにひねり目４１が形成される。同様に、Ｓ３２では右方向に編針ｌで掛け目して、続くＳ３３では編針Ｌと編針Ｋで編目５２，５３を形成することで、編針ｌにひねり目４２が形成される。Ｓ３４では、Ｓ３０〜Ｓ３３で前身頃１の裏側に形成されたひねり目４２，４１に対して、右方向に新たな編目を形成するとともに、ＦＢの編針Ｎでタックする。Ｓ３５では左方向にＦＢの編針Ｍ〜Ｋで編目を形成し、Ｓ３６ではＢＢの編針ｌと編針ｍで編目を形成することで袋編みを行い、続けて編針Ｎ〜Ｔで編目を形成する。Ｓ３７では、編針Ｋ〜Ｒの編目を編針ｋ〜ｒに目移しし、編針ｌと編針ｍに重ね目ができる。Ｓ３８では、編針ｋ〜ｒの編目を編針Ｌ〜Ｓに目移しして減らしを行う。これにより、左肩部７の側端部９Ｌが分岐部２の境界から遠ざかる。なお、上記の方法ではＳ３３〜Ｓ３４で編針ｋにひねり目を形成しなかったが、Ｓ３０〜Ｓ３１と同様の編成を行ってひねり目を形成してもよい。また、Ｓ３１の編針ＭおよびＳ３３の編針Ｌで形成される編目５１，５２，５３はニット目であるが、代わりにタック目を形成してもよい。タックを行えば、側端部９Ｌを引き締めることができ、より補強を強めることができる。
【００２３】
Ｓ３９〜Ｓ４８については、前述のＳ２９〜Ｓ３８の編成をＸ−Ｘ線で対称にしたものである。ただし、給糸口１０を使用する。Ｓ４８で減らしを行うことで、右肩部６の側端部９Ｒが分岐部２の境界から遠ざかる。
【００２４】
Ｓ４９〜Ｓ５７については、前述のＳ２９〜Ｓ３８と略同様である。但し、Ｓ３８で減らし行なったため、編針の位置が針１本右にずれている。Ｓ３８では減らしを行なったが、Ｓ５７では減らしを行なわずに、編針ｍと編針ｎの編目を編針Ｍと編針Ｎに目移しして重ねる。
【００２５】
Ｓ５８〜Ｓ６６については、前述のＳ４９〜Ｓ５７の編成をＸ−Ｘ線で対称にしたものである。但し、給糸口１０を使用する。
【００２６】
Ｓ６６以降は、Ｓ２９〜Ｓ４８の減らしを含む工程と、Ｓ４９〜Ｓ６６の減らしを含まない工程とを例えば交互に繰り返すなど、所定のコースおきに行なうようにすれば、Ｖネック部の開口８を形成できる。
【００２７】
図４のＳ２９以降の編成により、袋編みによって分岐部２の最も境界側の表側と裏側の編目をつなぐ編糸が生じ、且つ袋編みされた表側と裏側の編目が重ねられ、Ｖネックの開口部周縁の厚みが増して強化される。また、開口部周縁が波打ったり、カールすることを防止できるため、Ｖ字ラインが綺麗に仕上がる。またＳ１〜Ｓ２８で示す交差部を形成する編目の編成と同様に、ここでもひねり目の形成とそれに続く袋編みを行っているため、分岐部を含むＶネックの開口部周縁の見栄えや編地の厚みが同じになる。
【００２８】
本実施例におけるひねり目形成後の袋編みは、例えばＳ２〜Ｓ１３で示すように同方向に周回しているが、袋編みの方法はこれに限らない。例えば、Ｓ９の最後のタックの後、そのタックで折り返すように反転して、裏側の編針ｍ，ｌ，ｋ、表側の編針Ｋ，Ｌ，Ｍの順に編成しても良い。
【００２９】
本実施例では、ひねり目の形成に左右で各２本あるいは３本の編針を用いたが、例えば各１本でも良いし逆に各３本以上でも良く、それに続く袋編みの針本数もそれに応じて適宜変更すれば良い。
【００３０】
また、本実施例では、２枚ベッド機での前身頃１の編成を示したが、前身頃と後身頃の両側端部が繋がった状態で横編機上で編成する公知の筒状編成を行なう場合でも、本発明を適用することができる。Ｖネックの前身頃における分岐部での編成を一実施例として示したが、本発明は上記実施例に限定されるものではなく、例えばＳ３８とＳ４８のような減らしを行わずに真っ直ぐに形成してベストの前立などに適用してもよく、本発明の主旨に逸脱しない範囲において実施可能である。
【符号の説明】
【００３１】
１    前身頃
２    分岐部
６    右肩部
７    左肩部
８    開口
９    側端部
１０，１１    給糸口
２１，２２，２３，４１，４２    ひねり目
３１，３２，３３，５１，５２，５３    編目
【図１】
0005452791.tif 000002
【図２】
0005452791.tif 000003
【図３】
0005452791.tif 000004
【図４】
0005452791.tif 000005
【図５】
0005452791.tif 000006
【図６】
0005452791.tif 000007
【図７】
0005452791.tif 000008